(57)【要約】本発明は、光学異性体分離剤及びその製造方法を提供する。すなわち、本発明は、下記式（Ｉ）：2014125667.tif 000019［式中の各記号は、明細書に記載のとおりである。］で表される一方向巻きのらせん状ポリ（ジフェニルアセチレン）化合物及びその製造方法、該ポリ（ジフェニルアセチレン）化合物からなる光学異性体分離剤、並びに該光学異性体分離剤を担体にコーティングしてなるキラルカラム用充填剤に関し、これらは広範な化合物に対し優れた分離能を有することから、実用的な光学分割方法を提供することができる。
2014125667.tif 000002
【特許請求の範囲】
【請求項１】
式（Ｉ）：
【化１】
2014125667.tif 000017
［式中、
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を示し；
Ｘ及びＸ’は、独立してそれぞれアミド化又はエステル化されていてもよいカルボキシ基を示し；並びに
ｎは、１０以上の整数を示す。]
で表されるポリ（ジフェニルアセチレン）化合物又はその塩、或いはその溶媒和物。
【請求項２】
一方向巻きのらせん構造を有することを特徴とする、請求項１記載の化合物又はその塩、或いはその溶媒和物。
【請求項３】
Ｒ１とＲ１’、Ｒ２とＲ２’、Ｒ３とＲ３’及びＲ４とＲ４’が、それぞれ同一の基である、請求項２記載の化合物又はその塩、或いはその溶媒和物。
【請求項４】
Ｘ及びＸ’が、共にカルボキシ基又はＣＯＮ（Ｒ５）（Ｒ６）（式中、Ｒ５は、水素原子又はＣ１−６アルキル基であり、且つＲ６は、置換されていてもよいＣ１−２０アルキル基又は置換されていてもよいアリール基である。）である、請求項２記載の化合物又はその塩、或いはその溶媒和物。
【請求項５】
Ｒ１、Ｒ１’、Ｒ２、Ｒ２’、Ｒ３、Ｒ３’、Ｒ４及びＲ４’が、独立してそれぞれ水素原子、ハロゲン原子、ハロゲン原子により置換されていてもよいＣ１−６アルキル基、ハロゲン原子により置換されていてもよいＣ１−６アルコキシ基、トリＣ１−６アルキルシリル基又はトリＣ１−６アルキルシロキシ基であって、且つＲ１とＲ１’、Ｒ２とＲ２’、Ｒ３とＲ３’及びＲ４とＲ４’が、それぞれ同一の基であり；
Ｘ及びＸ’が、共にＣＯＮ（Ｒ５）（Ｒ６）（式中、Ｒ５は、水素原子又はＣ１−６アルキル基であり、且つＲ６は、置換されていてもよいＣ６−１０アリール基である。）であり；並びに
ｎが、１０以上１００００以下の整数である、請求項２記載の化合物又はその塩、或いはその溶媒和物。
【請求項６】
Ｒ１、Ｒ１’、Ｒ２、Ｒ２’、Ｒ３、Ｒ３’、Ｒ４及びＲ４’が、独立してそれぞれ水素原子又はハロゲン原子であって、且つＲ１とＲ１’、Ｒ２とＲ２’、Ｒ３とＲ３’及びＲ４とＲ４’が、それぞれ同一の基であり；
Ｘ及びＸ’が、共にＣＯＮ（Ｒ５）（Ｒ６）（式中、Ｒ５は、水素原子であり、且つＲ６は、置換されていてもよいフェニル基である。）であり；並びに
ｎが、１００以上１００００以下の整数である、請求項２記載の化合物又はその塩、或いはその溶媒和物。
【請求項７】
請求項２〜６のいずれか一項に記載のポリ（ジフェニルアセチレン）化合物からなる光学異性体分離剤。
【請求項８】
請求項７記載の光学異性体分離剤を担体に担持してなる充填剤。
【請求項９】
担体がシリカゲルである、請求項８記載の充填剤。
【請求項１０】
請求項８又は９に記載の充填剤を充填して調製されるキラルカラム。
【請求項１１】
光学異性体の混合物の純度測定用又は分離用として使用する、請求項１０記載のキラルカラム。
【請求項１２】
請求項２記載の化合物又はその塩、或いはその溶媒和物の製造方法であって、光学不活性な式（ＩＩ）：
【化２】
2014125667.tif 000018
［式中、
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を示し；並びに
ｎは、１０以上の整数を示す。]
で表されるポリ（ジフェニルアセチレン）化合物と光学活性な低分子化合物とを混合する工程、及び
該低分子化合物を除去する工程を含むことを特徴とする、方法。
【請求項１３】
エステル化又はアミド化の工程を更に含む、請求項１２記載の方法。
【請求項１４】
光学活性な低分子化合物が、２−フェニルグリシノール、１−シクロヘキシルエチルアミン、１−（１−ナフチル）エチルアミン、１−（２−ナフチル）エチルアミン、sec−ブチルアミン、１−フェニル−２−（p−トリル）エチルアミン、１−（p−トリル）エチルアミン、１−（４−メトキシフェニル）エチルアミン、１−フェニルエチルアミン、β−メチルフェネチルアミン、２−アミノ−１−ブタノール、２−アミノ−１，２−ジフェニルエタノール、１−アミノ−２−インダノール、２−アミノ−１−フェニル−１，３−プロパンジオール、２−アミノ−１−プロパノール、ロイシノール、フェニルアラニノール、バリノール、ノルエフェドリン、メチオニノール、アミノ酸、カルボキシ基を保護したアミノ酸、３−アミノピロリジン、１−ベンジル−３−アミノピロリジン、１，２−ジフェニルエチレンジアミン、１，２−シクロヘキサンジアミン、２−（メトキシメチル）ピロリジン、１−メチル−２−（１−ピペリジノメチル）ピロリジン及び１−（２−ピロリジノメチル）ピロリジンからなる群より選択される化合物の光学活性体である、請求項１２又は１３に記載の方法。
【請求項１５】
光学活性な低分子化合物が、（Ｓ）−（＋）−２−フェニルグリシノール又は（Ｒ）−（−）−２−フェニルグリシノールである、請求項１２又は１３に記載の方法。
【請求項１６】
光学活性な低分子化合物の光学純度が、９９％ｅｅ以上である、請求項１２〜１５のいずれか一項に記載の方法。
【請求項１７】
光学活性な低分子化合物の光学純度が、８０％ｅｅ以上である、請求項１２〜１５のいずれか一項に記載の方法。
【請求項１８】
光学活性低分子化合物の除去が、溶媒洗浄により行われる、請求項１２〜１７のいずれか一項に記載の方法。
【発明の詳細な説明】
【技術分野】
【０００１】
本発明は、クロマトグラフィー法、特に液体クロマトグラフィーによる光学異性体の分離に用いられる光学異性体分離剤及びそれを担持させてなる充填剤に関し、特に、広範なキラル化合物の光学異性体混合物の分離剤として有用ならせん状ポリ（ジフェニルアセチレン）化合物及びその製造方法に関する。
【背景技術】
【０００２】
有機化合物には物理的、化学的性質、例えば沸点、融点、溶解度といった物性が全く同一であるが、生理活性に差がみられる光学異性体が多く存在する。医薬の技術分野では、生体内の特定の受容体との結合のし易さによる薬理活性の違いがよく研究されており、光学異性体の間で薬効、毒性の点で顕著な差が見られる場合が多いことが広く知られている。このため薬物としてラセミ体を使用する場合には、それぞれの異性体について、吸収、分布、代謝、排泄動態を検討しておくことが望ましい旨、厚生労働省の医薬品製造指針にも記載されている。【０００３】
前述の通り、光学異性体の物理的、化学的性質は全く同一であるが故に、通常の分離手段では分析が行えないため、広範な種類の有機化合物の光学異性体を簡便、且つ精度良く分析する技術の研究が精力的に行われてきた。それらの中でも、特に高速液体クロマトグラフィー（以下、ＨＰＬＣと称することもある。）による光学分割法は、光学異性体分離機能を有する物質、すなわち、光学異性体分離剤そのもの、或いは光学異性体分離剤を適当な担体上に化学結合又はコーティングすることにより担持させたキラル固定相を使用して光学異性体を分離するものである。例えば、低分子化合物である光学活性なクラウンエーテル化合物を担体にコーティングした充填剤（特許文献１）、合成高分子である光学活性メタクリル酸トリフェニルメチルポリマーを担体にコーティングした充填剤（特許文献２）、多糖の誘導体である三酢酸セルロースを担体にコーティングした充填剤（特許文献３）、安息香酸セルロースを担体にコーティングした充填剤（特許文献４）、セルロースフェニルカルバメートを担体にコーティングした充填剤（特許文献５）、セルロースあるいはアミロース誘導体（非特許文献１）、タンパクであるオボムコイド（特許文献６）等が開発され、その高い光学分割能から商品化され、広く使用されている。
【先行技術文献】
【特許文献】
【０００４】
【特許文献１】特開昭６２−２１００５３号公報
【特許文献２】特開昭５７−１５０４３２号公報
【特許文献３】特開昭６０−８２８５８号公報
【特許文献４】特開昭６０−４０９５２号公報
【特許文献５】特開昭６０−１０８７５１号公報
【特許文献６】特開昭６３−３０７８２９号公報
【非特許文献】
【０００５】
【非特許文献１】Okamoto, Y., Kawashima, M. and Hatada, K. J. Am. Chem. Soc.,1984, 106, 5357.
【発明の概要】
【発明が解決しようとする課題】
【０００６】
しかし、光学異性体分離剤は、一般に非常に高価である。また、光学異性体分離剤は、いずれも特定の対象物（ラセミ体）についての分離性能には優れるものの、光学分割可能な化合物の範囲は極めて限定されていた。従って、光学分割可能な対象物の範囲を広げるためには、既存の光学異性体分離剤とは異なる化学構造を持ち、それによって異なる光学分割特性を示す新たな光学異性体分離剤の開発が望まれていた。
【課題を解決するための手段】
【０００７】
本発明者らは、かかる状況下、鋭意検討を重ねた結果、下記式（Ｉ）：【０００８】
【化１】
2014125667.tif 000003
【０００９】
［式中、
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を示し；
Ｘ及びＸ’は、独立してそれぞれアミド化又はエステル化されていてもよいカルボキシ基を示し；並びに
ｎは、１０以上の整数を示す。]
で表されるポリ（ジフェニルアセチレン）化合物（以下、単に「化合物（Ｉ）」又は「光学不活性な化合物（Ｉ）」と称することもある。）又はその塩、或いはその溶媒和物のうち、一方向巻きのらせん構造を有する化合物（以下、「光学活性な化合物（Ｉ）」と称することもある。）が、広範なキラル化合物の光学異性体混合物の分離剤として有用であることを初めて見出し、本発明を完成するに至った。
すなわち、本発明は以下の通りである。
［１］式（Ｉ）：【００１０】
【化２】
2014125667.tif 000004
【００１１】
［式中、
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を示し；
Ｘ及びＸ’は、独立してそれぞれアミド化又はエステル化されていてもよいカルボキシ基を示し；並びに
ｎは、１０以上の整数を示す。]
で表されるポリ（ジフェニルアセチレン）化合物又はその塩、或いはその溶媒和物。
［２］一方向巻きのらせん構造を有することを特徴とする上記［１］記載の化合物又はその塩、或いはその溶媒和物。
［３］Ｒ１とＲ１’、Ｒ２とＲ２’、Ｒ３とＲ３’及びＲ４とＲ４’が、それぞれ同一の基である、上記［２］記載の化合物又はその塩、或いはその溶媒和物。
［４］Ｘ及びＸ’が、共にカルボキシ基又はＣＯＮ（Ｒ５）（Ｒ６）（式中、Ｒ５は、水素原子又はＣ１−６アルキル基であり、且つＲ６は、置換されていてもよいＣ１−２０アルキル基又は置換されていてもよいアリール基である。）である、上記［２］記載の化合物又はその塩、或いはその溶媒和物。
［５］Ｒ１、Ｒ１’、Ｒ２、Ｒ２’、Ｒ３、Ｒ３’、Ｒ４及びＲ４’が、独立してそれぞれ水素原子、ハロゲン原子、ハロゲン原子により置換されていてもよいＣ１−６アルキル基、ハロゲン原子により置換されていてもよいＣ１−６アルコキシ基、トリＣ１−６アルキルシリル基又はトリＣ１−６アルキルシロキシ基であって、且つＲ１とＲ１’、Ｒ２とＲ２’、Ｒ３とＲ３’及びＲ４とＲ４’が、それぞれ同一の基であり；
Ｘ及びＸ’が、共にＣＯＮ（Ｒ５）（Ｒ６）（式中、Ｒ５は、水素原子又はＣ１−６アルキル基であり、且つＲ６は、置換されていてもよいＣ６−１０アリール基である。）であり；並びに
ｎが、１０以上１００００以下の整数である、上記［２］記載の化合物又はその塩、或いはその溶媒和物。
［６］Ｒ１、Ｒ１’、Ｒ２、Ｒ２’、Ｒ３、Ｒ３’、Ｒ４及びＲ４’が、独立してそれぞれ水素原子又はハロゲン原子であって、且つＲ１とＲ１’、Ｒ２とＲ２’、Ｒ３とＲ３’及びＲ４とＲ４’が、それぞれ同一の基であり；
Ｘ及びＸ’が、共にＣＯＮ（Ｒ５）（Ｒ６）（式中、Ｒ５は、水素原子であり、且つＲ６は、置換されていてもよいフェニル基である。）であり；並びに
ｎが、１００以上１００００以下の整数である、上記［２］記載の化合物又はその塩、或いはその溶媒和物。
［７］上記［２］〜［６］のいずれかに記載のポリ（ジフェニルアセチレン）化合物からなる光学異性体分離剤。
［８］上記［７］記載の光学異性体分離剤を担体に担持してなる充填剤。
［９］担体がシリカゲルである、上記［８］記載の充填剤。
［１０］上記［８］又は［９］に記載の充填剤を充填して調製されるキラルカラム。
［１１］光学異性体の混合物の純度測定用又は分離用として使用する、上記［１０］記載のキラルカラム。
［１２］上記［２］記載の化合物又はその塩、或いはその溶媒和物の製造方法であって、光学不活性な式（ＩＩ）：【００１２】
【化３】
2014125667.tif 000005
【００１３】
［式中、
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を示し；並びに
ｎは、１０以上の整数を示す。]
で表されるポリ（ジフェニルアセチレン）化合物と光学活性な低分子化合物とを混合する工程、及び
該低分子化合物を除去する工程を含むことを特徴とする、方法。
［１３］エステル化又はアミド化の工程を更に含む、上記［１２］記載の方法。
［１４］光学活性な低分子化合物が、２−フェニルグリシノール、１−シクロヘキシルエチルアミン、１−（１−ナフチル）エチルアミン、１−（２−ナフチル）エチルアミン、sec−ブチルアミン、１−フェニル−２−（p−トリル）エチルアミン、１−（p−トリル）エチルアミン、１−（４−メトキシフェニル）エチルアミン、１−フェニルエチルアミン、β−メチルフェネチルアミン、２−アミノ−１−ブタノール、２−アミノ−１，２−ジフェニルエタノール、１−アミノ−２−インダノール、２−アミノ−１−フェニル−１，３−プロパンジオール、２−アミノ−１−プロパノール、ロイシノール、フェニルアラニノール、バリノール、ノルエフェドリン、メチオニノール、アミノ酸、カルボキシ基を保護したアミノ酸、３−アミノピロリジン、１−ベンジル−３−アミノピロリジン、１，２−ジフェニルエチレンジアミン、１，２−シクロヘキサンジアミン、２−（メトキシメチル）ピロリジン、１−メチル−２−（１−ピペリジノメチル）ピロリジン及び１−（２−ピロリジノメチル）ピロリジンからなる群より選択される化合物の光学活性体である、上記［１２］又は［１３］に記載の方法。
［１５］光学活性な低分子化合物が、（Ｓ）−（＋）−２−フェニルグリシノール又は（Ｒ）−（−）−２−フェニルグリシノールである、上記［１２］又は［１３］に記載の方法。
［１６］光学活性な低分子化合物の光学純度が、９９％ｅｅ以上である、上記［１２］〜［１５］のいずれかに記載の方法。
［１７］光学活性な低分子化合物の光学純度が、８０％ｅｅ以上である、上記［１２］〜［１５］のいずれかに記載の方法。
［１８］光学活性低分子化合物の除去が、溶媒洗浄により行われる、上記［１２］〜［１７］のいずれかに記載の方法。
【発明の効果】
【００１４】
本発明の光学活性な化合物（Ｉ）は、広範な化合物の光学異性体混合物に対し優れた光学分割能を有し、且つ溶液中においても室温下では容易にラセミ化が起こらない。そのため本発明の光学活性な化合物（Ｉ）は、らせんのキラリティーを誘起、記憶後に様々な化学修飾を行うことが可能であるという利点を有する。また、本発明の光学活性な化合物（Ｉ）は、一方向巻きのらせん構造を有する以外、光学活性部位（光学活性な置換基）を有さず、且つキラリティー誘起の際に使用する光学活性な低分子化合物は、市販の化合物を広く使用でき、且つ１００％回収、再利用可能であるので、従来の光学異性体分離剤と比較して、コスト的にも有利である。さらに、らせんのキラリティーを誘起する際に使用する光学活性な低分子化合物としては、必ずしも光学的に純粋（９９％ｅｅ以上）な化合物を用いる必要はなく、低い光学純度（８０％ｅｅ以上）の化合物を用いた場合にも、正の非線形現象（いわゆる、「不斉増幅現象」）が確認され、光学的に純粋な化合物を用いた場合と同程度の光学純度でらせんの巻き方向を制御することができるので、高い光学分割能を有するキラル固定相を簡便且つ安価に製造することができる。
【図面の簡単な説明】
【００１５】
【図１】（ａ）は、（Ｓ）−（＋）−２−フェニルグリシノール存在下、水中で測定した化合物（ＩＩａ）のＣＤおよびＵＶスペクトルであり、（ｂ）は、ジメチルスルホキシド中で測定した化合物（Ｉａ）のＣＤおよびＵＶスペクトルであり、（ｃ）は、テトラヒドロフラン中で測定した化合物（Ｉｂ）のＣＤおよびＵＶスペクトルである。
【図２】実施例４で得られたカラム（化合物（Ｉｂ）をシリカゲルに担持したもの）による３，３’−ジフェニル−１，１’−ビ−２−ナフトールのラセミ体の約０℃下でのキラル分離クロマトグラム（流速：０．１ｍＬ／ｍｉｎ、溶離液：ヘキサン／２−プロパノール（９０：１０，ｖ／ｖ））である。
【図３】０〜１００％ｅｅの（Ｓ）−（−）−１−フェニルエチルアミン存在下（［（Ｓ）−（−）−１−フェニルエチルアミン］／［化合物（ＩＩａ）］＝５０）、水中、９５℃で２時間撹拌後、２５℃で２４時間静置した後の化合物（Ｉａ）（１．９ｍＭ）のＣＤスペクトルのピーク強度（Δε）（縦軸）と（Ｓ）−（−）−１−フェニルエチルアミンの光学純度（横軸）との正の非線形効果を示す図である。
【発明を実施するための形態】
【００１６】
以下に本発明の詳細を説明する。
（定義）
【００１７】
本明細書中、「ハロゲン原子」とは、フッ素原子、塩素原子、臭素原子又はヨウ素原子を意味する。
【００１８】
本明細書中、「アルキル（基）」とは、直鎖状または分岐鎖状の炭素原子数１以上のアルキル基を意味し、特に炭素数範囲の限定がない場合には、好ましくは、Ｃ１−２０アルキル基であり、中でも、Ｃ１−１２アルキル基がより好ましく、Ｃ１−６アルキル基が特に好ましい。
【００１９】
本明細書中、「Ｃ１−２０アルキル（基）」とは、直鎖又は分岐鎖の炭素原子数１〜２０のアルキル基を意味し、例えば、メチル、エチル、プロピル、イソプロピル、ブチル、イソブチル、ｓｅｃ−ブチル、ｔｅｒｔ−ブチル、ペンチル、イソペンチル、ネオペンチル、１−エチルプロピル、ヘキシル、イソヘキシル、１，１−ジメチルブチル、２，２−ジメチルブチル、３，３−ジメチルブチル、２−エチルブチル、ヘプチル、オクチル、ノニル、デシル、ウンデシル、ドデシル、トリデシル、エイコシル等が挙げられる。
【００２０】
本明細書中、「Ｃ１−１２アルキル（基）」とは、直鎖又は分岐鎖の炭素原子数１〜１２のアルキル基を意味し、例えば、メチル、エチル、プロピル、イソプロピル、ブチル、イソブチル、ｓｅｃ−ブチル、ｔｅｒｔ−ブチル、ペンチル、イソペンチル、ネオペンチル、１−エチルプロピル、ヘキシル、イソヘキシル、１，１−ジメチルブチル、２，２−ジメチルブチル、３，３−ジメチルブチル、２−エチルブチル、ヘプチル、オクチル、ノニル、デシル、ウンデシル、ドデシル等が挙げられる。
【００２１】
本明細書中、「Ｃ１−６アルキル（基）」とは、直鎖又は分岐鎖の炭素原子数１〜６のアルキル基を意味し、例えば、メチル、エチル、プロピル、イソプロピル、ブチル、イソブチル、ｓｅｃ−ブチル、ｔｅｒｔ−ブチル、ペンチル、イソペンチル、ネオペンチル、１−エチルプロピル、ヘキシル、イソヘキシル、１，１−ジメチルブチル、２，２−ジメチルブチル、３，３−ジメチルブチル、２−エチルブチル等が挙げられる。
【００２２】
本明細書中、「シクロアルキル（基）」とは、環状アルキル基を意味し、特に炭素数範囲の限定がない場合には、好ましくは、Ｃ３−８シクロアルキル基である。
【００２３】
本明細書中、「Ｃ３−８シクロアルキル（基）」とは、炭素原子数３〜８の環状アルキル基を意味し、例えば、シクロプロピル、シクロブチル、シクロペンチル、シクロヘキシル、シクロヘプチル、シクロオクチル等が挙げられる。中でも、Ｃ３−６シクロアルキル基が好ましい。
【００２４】
本明細書中、「アルコキシ（基）」とは、直鎖または分岐鎖のアルキル基が酸素原子と結合した基を意味し、特に炭素数範囲は限定されないが、好ましくは、Ｃ１−６アルコキシ基である。
【００２５】
本明細書中、「Ｃ１−６アルコキシ（基）」とは、直鎖又は分岐鎖の炭素原子数１〜６のアルコキシ基を意味し、例えば、メトキシ、エトキシ、プロポキシ、イソプロポキシ、ブトキシ、イソブトキシ、ｓｅｃ−ブトキシ、ｔｅｒｔ−ブトキシ、ペンチルオキシ、イソペンチルオキシ、ネオペンチルオキシ、ヘキシルオキシ等が挙げられる。中でも、Ｃ１−４アルコキシ基が好ましい。
【００２６】
本明細書中、「アルキルチオ（基）」とは、直鎖または分岐鎖のアルキル基が硫黄原子と結合した基を意味し、特に炭素数範囲は限定されないが、好ましくは、Ｃ１−６アルキルチオ基である。
【００２７】
本明細書中、「Ｃ１−６アルキルチオ（基）」とは、直鎖又は分岐鎖の炭素原子数１〜６のアルキルチオ基を意味し、例えば、メチルチオ、エチルチオ、プロピルチオ、イソプロピルチオ、ブチルチオ、イソブチルチオ、ｓｅｃ−ブチルチオ、ｔｅｒｔ−ブチルチオ、ペンチルチオ、イソペンチルチオ、ネオペンチルチオ、ヘキシルチオ等が挙げられる。中でも、Ｃ１−４アルキルチオ基が好ましい。
【００２８】
本明細書中、「アルキルスルホニル（基）」とは、直鎖または分岐鎖のアルキル基がスルホニル基に結合した基を意味し、特に炭素数範囲は限定されないが、好ましくは、Ｃ１−６アルキルスルホニル基である。
【００２９】
本明細書中、「Ｃ１−６アルキルスルホニル（基）」とは、直鎖又は分岐鎖の炭素原子数１〜６のアルキル基がスルホニル基に結合した基を意味し、例えば、メチルスルホニル、エチルスルホニル、プロピルスルホニル、イソプロピルスルホニル、ブチルスルホニル、イソブチルスルホニル、ｓｅｃ−ブチルスルホニル、ｔｅｒｔ−ブチルスルホニル、ペンチルスルホニル、イソペンチルスルホニル、ネオペンチルスルホニル、１−エチルプロピルスルホニル、ヘキシルスルホニル、イソヘキシルスルホニル、１，１−ジメチルブチルスルホニル、２，２−ジメチルブチルスルホニル、３，３−ジメチルブチルスルホニル、２−エチルブチルスルホニル等が挙げられる。
【００３０】
本明細書中、「アリールスルホニル（基）」とは、アリール基がスルホニル基に結合した基を意味し、特に炭素数範囲は限定されないが、好ましくは、Ｃ６−１０アリールスルホニル基である。
【００３１】
本明細書中、「Ｃ６−１０アリールスルホニル基」とは、「Ｃ６−１０アリール基」がスルホニル基に結合した基を意味し、例えば、フェニルスルホニル、１−ナフチルスルホニル、２−ナフチルスルホニル等が挙げられる。
【００３２】
本明細書中、「アルキルスルホニルオキシ（基）」とは、アルキルスルホニル基が酸素原子に結合した基を意味し、特に炭素数範囲は限定されないが、好ましくは、Ｃ１−６アルキルスルホニルオキシ基である。
【００３３】
本明細書中、「Ｃ１−６アルキルスルホニルオキシ（基）」とは、Ｃ１−６アルキルスルホニル基が酸素原子に結合した基を意味し、例えば、メチルスルホニルオキシ、エチルスルホニルオキシ、プロピルスルホニルオキシ、イソプロピルスルホニルオキシ、ブチルスルホニルオキシ等が挙げられる。
【００３４】
本明細書中、「アリールスルホニルオキシ（基）」とは、アリールスルホニル基が酸素原子に結合した基を意味し、特に炭素数範囲は限定されないが、好ましくは、Ｃ６−１０アリールスルホニルオキシ基である。
【００３５】
本明細書中、「Ｃ６−１０アリールスルホニルオキシ（基）」とは、Ｃ６−１０アリールスルホニル基が酸素原子に結合した基を意味し、例えば、フェニルスルホニルオキシ、１−ナフチルスルホニルオキシ、２−ナフチルスルホニルオキシ等が挙げられる。
【００３６】
本明細書中、「アシル（基）」とは、アルカノイル又はアロイルを意味し、特に炭素数範囲は限定されないが、好ましくは、Ｃ１−７アルカノイル基又はＣ７−１１アロイルである。
【００３７】
本明細書中、「Ｃ１−７アルカノイル（基）」とは、炭素原子数１〜７の直鎖又は分枝鎖状のホルミル又はアルキルカルボニルであり、例えば、ホルミル、アセチル、プロピオニル、ブチリル、イソブチリル、ペンタノイル、ヘキサノイル、ヘプタノイル等が挙げられる。
【００３８】
本明細書中、「Ｃ７−１１アロイル（基）」とは、炭素原子数７〜１１のアリールカルボニルであり、ベンゾイル等が挙げられる。
【００３９】
本明細書中、「アシルオキシ（基）」とは、アルカノイル基又はアロイル基が酸素原子と結合した基を意味し、特に炭素数範囲は限定されないが、好ましくは、Ｃ１−７アルカノイルオキシ基又はＣ７−１１アロイルオキシ基である。
【００４０】
本明細書中、「Ｃ１−７アルカノイルオキシ（基）」としては、例えば、ホルミルオキシ、アセトキシ、エチルカルボニルオキシ、プロピルカルボニルオキシ、イソプロピルカルボニルオキシ、ブチルカルボニルオキシ、イソブチルカルボニルオキシ、ｓｅｃ−ブチルカルボニルオキシ、ｔｅｒｔ−ブチルカルボニルオキシ、ペンチルカルボニルオキシ、イソペンチルカルボニルオキシ、ネオペンチルカルボニルオキシ、ヘキシルカルボニルオキシ等が挙げられる。
【００４１】
本明細書中、「Ｃ７−１１アロイルオキシ（基）」としては、例えば、ベンゾイルオキシ、１−ナフトイルオキシ、２−ナフトイルオキシ等が挙げられる。
【００４２】
本明細書中、「アリール（基）」とは、芳香族性を示す単環式あるいは多環式（縮合）の炭化水素基を意味し、具体的には、例えば、フェニル、１−ナフチル、２−ナフチル、ビフェニリル、２−アンスリル等のＣ６−１４アリール基を示す。中でもＣ６−１０アリール基が好ましい。
【００４３】
本明細書中、「Ｃ６−１０アリール（基）」とは、例えば、フェニル、１−ナフチル、２−ナフチルを示し、フェニルが特に好ましい。
【００４４】
本明細書中、「アラルキル（基）」とは、アルキル基にアリール基が置換した基を意味し、特に炭素数範囲は限定されないが、好ましくは、Ｃ７−１４アラルキルである。
【００４５】
本明細書中、「Ｃ７−１４アラルキル（基）」とは、「Ｃ１−４アルキル基」に「Ｃ６−１０アリール基」が置換した基を意味し、例えば、ベンジル、１−フェニルエチル、２−フェニルエチル、（ナフチル−１−イル）メチル、（ナフチル−２−イル）メチル、１−（ナフチル−１−イル）エチル、１−（ナフチル−２−イル）エチル、２−（ナフチル−１−イル）エチル、２−（ナフチル−２−イル）エチル、ビフェニリルメチル等が挙げられる。
【００４６】
本明細書中、「トリ置換シリル（基）」とは、同一又は異なる３個の置換基（例、Ｃ１−６アルキル基、Ｃ６−１０アリール基等）により置換されたシリル基を意味し、当該基としては、トリメチルシリル基、トリエチルシリル基、トリイソプロピルシリル基、ｔｅｒｔ−ブチルジメチルシリル基等のトリアルキルシリル基（好ましくは、トリＣ１−６アルキルシリル基）、ｔｅｒｔ−ブチルジフェニルシリル基、トリフェニルシリル基等が好ましい。
【００４７】
本明細書中、「トリ置換シロキシ（基）」とは、トリ置換シリル基が酸素原子と結合した基を意味する。当該基としては、トリメチルシロキシ基、トリエチルシロキシ基、トリイソプロピルシロキシ基、ｔｅｒｔ−ブチルジメチルシロキシ基等のトリアルキルシロキシ基（好ましくは、トリＣ１−６アルキルシロキシ基）が好ましい。
【００４８】
本明細書中、「保護されたアミノ基」とは、「保護基」で保護されたアミノ基を意味する。当該「保護基」としては、例えば、Ｐｒｏｔｅｃｔｉｖｅ Ｇｒｏｕｐｓ ｉｎ Ｏｒｇａｎｉｃ Ｓｙｎｔｈｅｓｉｓ，Ｊｏｈｎ Ｗｉｌｅｙ ａｎｄ Ｓｏｎｓ刊（１９８０）に記載のアミノ基の保護基を使用し得、例えば、Ｃ１−６アルキル基、Ｃ７−１４アラルキル基、Ｃ６−１０アリール基、Ｃ１−７アルカノイル基、Ｃ７−１４アラルキル−カルボニル基、トリＣ１−６アルキルシリル基等の保護基が挙げられる。上記の保護基は、ハロゲン原子、Ｃ１−６アルキル基、Ｃ１−６アルコキシ基又はニトロ基により更に置換されていてもよい。当該アミノ基の保護基の具体例としては、メチル、アセチル、トリフルオロアセチル、ピバロイル、ｔｅｒｔ−ブトキシカルボニル、ベンジルオキシカルボニル等が挙げられる。
【００４９】
本明細書中、「置換されていてもよい」とは、１個以上の置換基を有していてもよいことを意味し、該「置換基」としては、（１）ハロゲン原子、（２）ニトロ、（３）シアノ、（４）Ｃ１−６アルキル、（５）Ｃ３−８シクロアルキル、（６）Ｃ１−６アルコキシ、（７）Ｃ６−１０アリール、（８）Ｃ７−１４アラルキル、（９）Ｃ１−７アルカノイルオキシ、（１０）Ｃ７−１１アロイルオキシ、（１１）Ｃ１−７アルカノイル、（１２）Ｃ７−１１アロイル、（１３）アジド、（１４）Ｃ１−６アルキルチオ、（１５）Ｃ６−１０アリールチオ、（１６）Ｃ１−６アルキル基で置換されていてもよいカルバモイル、（１７）Ｃ１−６アルキルスルホニルオキシ基、（１８）Ｃ６−１０アリールスルホニルオキシ基、（１９）トリＣ１−６アルキルシリル基、（２０）トリＣ１−６アルキルシロキシ基、（２１）保護されたアミノ基等が挙げられる。Ｒ１、Ｒ１’、Ｒ２、Ｒ２’、Ｒ３、Ｒ３’、Ｒ４及びＲ４’の基における「置換されていてもよい」置換基としては、好ましくは、ハロゲン原子、Ｃ１−６アルキル、Ｃ３−８シクロアルキル、Ｃ１−６アルコキシ、Ｃ６−１０アリール、Ｃ７−１４アラルキル、Ｃ１−６アルキルチオ、トリＣ１−６アルキルシリル、トリＣ１−６アルキルシロキシ等であり、より好ましくは、ハロゲン原子、Ｃ１−６アルキル、Ｃ１−６アルコキシ、トリＣ１−６アルキルシリル、トリＣ１−６アルキルシロキシ等であり、特に好ましくは、ハロゲン原子である。また、Ｒ５、Ｒ６、Ｒ７、Ｒ７’及びＲ８の基における「置換されていてもよい」置換基としては、上記いずれの置換基を有していてもよいが、好ましくは、ハロゲン原子、Ｃ１−６アルキル、Ｃ１−６アルコキシ、アセチル、ホルミル、カルバモイル、アジド、トリＣ１−６アルキルシリル、トリＣ１−６アルキルシロキシ、ジメチルアミノ、アセチルアミノ、ｔｅｒｔ−ブトキシカルボニルアミノ、ベンジルオキシカルボニルアミノ等である。
また、複数の置換基が存在する場合、各置換基は、同一でも異なっていてもよい。
【００５０】
上記置換基は、さらに上記置換基で置換されていてもよい。置換基の数は、置換可能な数であれば特に限定されないが、好ましくは１乃至５個、より好ましくは１乃至３個である。複数の置換基が存在する場合、各置換基は、同一でも異なっていてもよい。
【００５１】
本明細書中、「一方向巻きのらせん構造」とは、右巻き又は左巻きのいずれかに片寄ったらせん構造であればよく、好ましくは完全に右巻き又は左巻きのらせん構造である。「一方向巻きのらせん構造」を有する化合物は、光学活性な化合物である。
【００５２】
本明細書中、「光学活性な」とは、光の平面偏光を回転させる性質、すなわち、旋光能を有する状態を意味する。好ましくは、光学的に純粋な状態である。
【００５３】
本明細書中、「光学活性な低分子化合物」とは、光の平面偏光を回転させる性質、すなわち、旋光能を有する低分子化合物であり、分子量が１０００以下の有機化合物を意味し、特に限定されるものではない。好ましくは、光学的に純粋な不斉炭素原子を１つ有する化合物であり、例えば、光学的に純粋な両エナンチオマーが市販品として入手可能な２−フェニルグリシノール、１−シクロヘキシルエチルアミン、１−（１−ナフチル）エチルアミン、１−（２−ナフチル）エチルアミン、sec−ブチルアミン、１−フェニル−２−（p−トリル）エチルアミン、１−（p−トリル）エチルアミン、１−（４−メトキシフェニル）エチルアミン、１−フェニルエチルアミン、β−メチルフェネチルアミン、２−アミノ−１−ブタノール、２−アミノ−１，２−ジフェニルエタノール、１−アミノ−２−インダノール、２−アミノ−１−フェニル−１，３−プロパンジオール、２−アミノ−１−プロパノール、ロイシノール、フェニルアラニノール、バリノール、ノルエフェドリン、メチオニノール、アミノ酸、カルボキシ基を保護したアミノ酸、３−アミノピロリジン、１−ベンジル−３−アミノピロリジン、１，２−ジフェニルエチレンジアミン、１，２−シクロヘキサンジアミン、２−（メトキシメチル）ピロリジン、１−メチル−２−（１−ピペリジノメチル）ピロリジン、１−（２−ピロリジノメチル）ピロリジン等のキラル化合物の光学活性体が挙げられる。中でも、（Ｒ）−（−）−２−フェニルグリシノール、（Ｓ）−（＋）−２−フェニルグリシノール、（Ｒ）−（＋）−１−フェニルエチルアミン又は（Ｓ）−（−）−１−フェニルエチルアミンが特に好ましい。該光学活性な低分子化合物としては、上記の通り、光学的に純粋な化合物を使用するのが好ましいが、後述するように、低い光学純度の化合物を用いた場合にも、正の非線形現象（いわゆる、「不斉増幅現象」）が確認され、光学的に純粋な化合物を用いた場合と同程度の光学純度でらせんのキラリティーを誘起することができる。従って、「光学活性な低分子化合物」には、光学的に純粋な化合物だけでなく、光学純度の低い化合物も包含される。該低分子化合物は、液体でも固体でもよく、好ましくは、液体である。
【００５４】
本明細書中、「ｅｅ」とは、鏡像体過剰率（ｅｎａｎｔｉｏｍｅｒｉｃ  ｅｘｃｅｓｓ）の略称であり、キラルな化合物の光学純度を表す。「ｅｅ」は、多い方の鏡像体の物質量から少ない方の鏡像体の物質量を引き、全体の物質量で割った値に１００を掛けて算出され、「％ｅｅ」で表される。
【００５５】
本明細書中、「光学的に純粋な」とは、９９％ｅｅ以上の光学純度を示す状態を表す。
【００５６】
本明細書中、「鏡像異性体」とは、光学活性な低分子化合物中の全ての不斉炭素原子の立体配置が異なっている光学的対掌体を意味し、光学活性な低分子化合物と互いに右手と左手との関係にある１対の光学異性体を構成している。具体的には、例えば、光学活性な低分子化合物が（Ｒ）−（−）−２−フェニルグリシノールである場合の鏡像異性体は（Ｓ）−（＋）−２−フェニルグリシノールである。
【００５７】
本明細書中、「らせんの巻き方向を反転させる」とは、一方向巻きのらせんを、それとは逆方向巻きのらせんに反転させることを意味し、具体的には、例えば、右巻きのらせん構造を左巻きのらせん構造へと反転させることである。なお、らせんの巻き方向を完全に反転させることが望ましいが、「らせんの巻き方向を反転させる」とは、必ずしもらせんの巻き方向を完全に反転させる態様のみを意味するのではなく、逆方向巻きに片寄ったらせん構造（逆の符号の比旋光度を有する化合物へと変換されていればよい。）へと変換させる態様も含まれる。
【００５８】
本明細書中、「キラル化合物」とは、中心性キラリティー、軸性キラリティー又は面性キラリティーを持つ化合物を意味し、例えば、中心性キラリティー（不斉中心、すなわち、不斉炭素原子）を持つ化合物が挙げられる。
【００５９】
本明細書中、「ラセミ（体）」又は「ラセミ（化）」とは、キラル化合物の２種類の鏡像異性体（エナンチオマー）が等量存在することにより旋光性を示さなくなった状態の化合物又はそのような状態に変化することを意味する。
【００６０】
本明細書中、「光学異性体分離剤」とは、低分子化合物の光学異性体の混合物を分離させる能力を有する物質であればよく、特に限定されない。
【００６１】
本発明の光学異性体分離剤を用いて、光学活性化合物を光学分割する方法としては、特に限定されるものではないが、例えば、ガスクロマトグラフィー、液体クロマトグラフィー、超臨界クロマトグラフィー、薄層クロマトグラフィー、キャピラリー電気泳動等のクロマトグラフィー法及び膜分離による光学異性体分離等が挙げられる。
【００６２】
本発明の光学異性体分離剤を、例えば、高速液体クロマトグラフィー用のカラム充填剤の固定相として使用する場合、溶離液としては、本発明の分離剤を溶解又はこれと反応する液体を除いて特に限定するものではなく、ヘキサン−２−プロパノール等を用いる順相系、アルコール−水等を用いる逆相系のいずれにおいても応用可能である。
【００６３】
本発明において、光学活性な化合物（Ｉ）自体を光学異性体分離剤として使用することもできるが、分離剤の耐圧能力の向上、溶媒置換による膨潤、収縮の防止、理論段数の向上等の目的のため、何らかの担体に担持させることが好ましい。
【００６４】
本発明に用いられる担体としては、多孔質有機担体又は多孔質無機担体が挙げられ、好ましくは多孔質無機担体である。多孔質有機担体として適当なものは、ポリスチレン、ポリアクリルアミド、ポリアクリレート等からなる高分子物質であり、多孔質無機担体として適当なものは、シリカゲル、アルミナ、マグネシア、ガラス、カオリン、酸化チタン、ケイ酸塩、ヒドロキシアパタイトなどである。特に好ましい担体はシリカゲルである。
【００６５】
本発明の化合物（Ｉ）を担体に担持させる方法としては、物理的方法でも化学的方法でもよく、特に限定されない。物理的方法としては、化合物（Ｉ）と多孔質無機担体又は多孔質有機担体を接触させる方法が例示される。また、化学的方法としては、化合物（Ｉ）の製造時にそのポリマーの末端に官能基を付与し、多孔質無機担体又は多孔質有機担体の表面上の官能基と化学的に結合させる方法が挙げられる。
【００６６】
本発明の化合物（Ｉ）の担持量としては、用いる担体の種類、物性により異なり、特に限定されるものではないが、担体の重量に対して、通常１〜１０００重量％の範囲である。
【００６７】
本発明の充填剤は、ガスクロマトグラフィー、液体クロマトグラフィー、超臨界クロマトグラフィー、薄層クロマトグラフィー、キャピラリー電気泳動などのクロマトグラフィー法及び膜分離による光学異性体分離に用いるのが一般的であるが、特に液体クロマトグラフィー法に応用するのが好ましい。
【００６８】
更に本発明の充填剤は、主として光学純度測定を目的に使用される高速液体クロマトグラフィーの分析用キラルカラム、数ｍｇ〜数ｋｇの光学活性体取得を目的とする単カラム方式の液体クロマトグラフィーの分取用キラルカラム、擬似移動床方式に代表される連続式液体クロマトグラフィーの分取用キラルカラム等に好ましく使用される。
【００６９】
本発明の光学異性体分離剤は、上記した液体クロマトグラフィーの充填剤用途のみに限らず、核磁気共鳴スペクトル（ＮＭＲ）のシフト試薬等としても利用可能である。
【００７０】
本発明の光学異性体分離剤、又は該光学異性体分離剤を担持させてなる充填剤をキラル固定相として用いるキラルカラムにより分離することができる光学異性体の混合物としては、特に限定されないが、分子量が５００以下の広範な低分子化合物の光学異性体分離に好適に使用することができる。該低分子化合物としては、特に限定されないが、例えば、ｔｒａｎｓ−スチルベンオキシド、トレガー塩基（Ｔｒｏｅｇｅｒ’ｓ  ｂａｓｅ）、２−フェニルシクロヘキサノン、置換されていてもよいビナフトール、ビナフトールのアルキルエーテル、置換シクロプロパン類、１−フェニルエチルアルコール、金属アセチルアセトナート錯体（コバルト、クロム、ルテニウム等）、モノ置換［２．２］パラシクロファン等が挙げられる。
【００７１】
（本発明の化合物（Ｉ））
本発明の化合物（Ｉ）は、下記式（Ｉ）：
【００７２】
【化４】
2014125667.tif 000006
【００７３】
［式中、
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を示し；
Ｘ及びＸ’は、独立してそれぞれアミド化又はエステル化されていてもよいカルボキシ基を示し；並びに
ｎは、１０以上の整数を示す。]
で表されるポリ（ジフェニルアセチレン）化合物であり、特に、一方向巻きのらせん構造を有する化合物（すなわち、光学活性な化合物（Ｉ））である。
【００７４】
本発明の化合物（Ｉ）の塩とは、例えば、無機酸との塩、有機酸との塩、無機塩基との塩、有機塩基との塩、アミノ酸との塩等が挙げられる。
【００７５】
無機酸との塩として、例えば、塩酸、硝酸、硫酸、リン酸、臭化水素酸等との塩が挙げられる。
有機酸との塩として、例えば、シュウ酸、マレイン酸、クエン酸、フマル酸、乳酸、リンゴ酸、コハク酸、酒石酸、酢酸、トリフルオロ酢酸、グルコン酸、アスコルビン酸、メタンスルホン酸、ベンゼンスルホン酸、ｐ−トルエンスルホン酸等との塩が挙げられる。
無機塩基との塩として、例えば、ナトリウム塩、カリウム塩、カルシウム塩、マグネシウム塩、アンモニウム塩等が挙げられる。
有機塩基との塩として、例えば、メチルアミン、ジエチルアミン、トリメチルアミン、トリエチルアミン、エタノールアミン、ジエタノールアミン、トリエタノールアミン、エチレンジアミン、トリス（ヒドロキシメチル）メチルアミン、ジシクロヘキシルアミン、Ｎ，Ｎ’−ジベンジルエチレンジアミン、グアニジン、ピリジン、ピコリン、コリン、シンコニン、メグルミン等との塩が挙げられる。
アミノ酸との塩として、例えば、リジン、アルギニン、アスパラギン酸、グルタミン酸等との塩が挙げられる。
本発明の化合物（Ｉ）の塩は、好ましくは、無機塩基または有機塩基との塩である。
【００７６】
本発明の化合物（Ｉ）又はその塩の溶媒和物とは、本発明の化合物（Ｉ）又はその塩に、溶媒の分子が配位したものであり、水和物も包含される。例えば、本発明の化合物（Ｉ）またはその塩の水和物、エタノール和物、ジメチルスルホキシド和物等が挙げられる。
【００７７】
以下、本発明の化合物（Ｉ）の各基について説明する。
【００７８】
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を表す。
【００７９】
Ｒ１、Ｒ１’、Ｒ２、Ｒ２’、Ｒ３、Ｒ３’、Ｒ４及びＲ４’は、好ましくは、独立してそれぞれ水素原子、ハロゲン原子、置換されていてもよいアルキル基、置換されていてもよいアルコキシ基、トリアルキルシリル基又はトリアルキルシロキシ基であり、より好ましくは、独立してそれぞれ水素原子、ハロゲン原子、ハロゲン原子により置換されていてもよいＣ１−６アルキル基、ハロゲン原子により置換されていてもよいＣ１−６アルコキシ基、トリＣ１−６アルキルシリル基又はトリＣ１−６アルキルシロキシ基であり、中でも、水素原子又はハロゲン原子が特に好ましい。
【００８０】
Ｒ１、Ｒ１’、Ｒ２、Ｒ２’、Ｒ３、Ｒ３’、Ｒ４及びＲ４’は、好ましくは、Ｒ１とＲ１’、Ｒ２とＲ２’、Ｒ３とＲ３’及びＲ４とＲ４’が、それぞれ同一の基である。Ｒ１、Ｒ１’、Ｒ２、Ｒ２’、Ｒ３、Ｒ３’、Ｒ４及びＲ４’の全てが同一の基であってもよい。
【００８１】
Ｘ及びＸ’は、独立してそれぞれアミド化又はエステル化されていてもよいカルボキシ基を表す。
【００８２】
Ｘ及びＸ’は、好ましくは、独立してそれぞれカルボキシ基又はＣＯＮ（Ｒ５）（Ｒ６）（式中、Ｒ５は、水素原子又はＣ１−６アルキル基であり、Ｒ６は、置換されていてもよいＣ１−２０アルキル基又は置換されていてもよいアリール基である。）である。
【００８３】
Ｘ及びＸ’は、より好ましくは、独立してそれぞれＣＯＮ（Ｒ５）（Ｒ６）（式中、Ｒ５は、水素原子であり、Ｒ６は、置換されていてもよいＣ６−１０アリール基である。）である。
【００８４】
Ｘ及びＸ’は、特に好ましくは、独立してそれぞれＣＯＮ（Ｒ５）（Ｒ６）（式中、Ｒ５は、水素原子であり、Ｒ６は、置換されていてもよいフェニル基（例、フェニル基）である。）である。
【００８５】
Ｘ及びＸ’は、好ましくは同一の基である。
【００８６】
ｎは、１０以上の整数であり、好ましくは、１００以上１００００以下の整数である。
【００８７】
本発明の化合物（Ｉ）としては、以下の化合物が好適である。
［化合物（ＩＡ）］
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいアルコキシ基、トリアルキルシリル基又はトリアルキルシロキシ基であり、且つＲ１とＲ１’、Ｒ２とＲ２’、Ｒ３とＲ３’及びＲ４とＲ４’が、それぞれ同一の基であり；
Ｘ及びＸ’は、同一であって、カルボキシ基又はＣＯＮ（Ｒ５）（Ｒ６）（式中、Ｒ５は、水素原子又はＣ１−６アルキル基であり、Ｒ６は、置換されていてもよいＣ１−２０アルキル基又は置換されていてもよいアリール基である。）であり；並びに
ｎが、１０以上の整数である、化合物（Ｉ）。
【００８８】
より好適な化合物（Ｉ）は、以下の化合物である。
［化合物（ＩＢ）］
Ｒ１、Ｒ１’、Ｒ２、Ｒ２’、Ｒ３、Ｒ３’、Ｒ４及びＲ４’は、独立してそれぞれ水素原子、ハロゲン原子、ハロゲン原子により置換されていてもよいＣ１−６アルキル基、ハロゲン原子により置換されていてもよいＣ１−６アルコキシ基、トリＣ１−６アルキルシリル基又はトリＣ１−６アルキルシロキシ基であり、且つＲ１とＲ１’、Ｒ２とＲ２’、Ｒ３とＲ３’及びＲ４とＲ４’が、それぞれ同一の基であり；
Ｘ及びＸ’は、同一であり、且つＣＯＮ（Ｒ５）（Ｒ６）（式中、Ｒ５は、水素原子又はＣ１−６アルキル基であり、Ｒ６は、置換されていてもよいＣ６−１０アリール基である。）であり；並びに
ｎが、１０以上１００００以下の整数である、化合物（Ｉ）。
【００８９】
更に好適な化合物（Ｉ）は、以下の化合物である。
［化合物（ＩＣ）］
Ｒ１、Ｒ１’、Ｒ２、Ｒ２’、Ｒ３、Ｒ３’、Ｒ４及びＲ４’は、独立してそれぞれ水素原子又はハロゲン原子であり、且つＲ１とＲ１’、Ｒ２とＲ２’、Ｒ３とＲ３’及びＲ４とＲ４’が、それぞれ同一の基であり；
Ｘ及びＸ’は、同一であり、且つＣＯＮ（Ｒ５）（Ｒ６）（式中、Ｒ５は、水素原子であり、Ｒ６は、置換されていてもよいフェニル基である。）であり；並びに
ｎが、１００以上１００００以下の整数である、化合物（Ｉ）。
【００９０】
特に好適な化合物（Ｉ）は、上記した化合物（ＩＡ）、化合物（ＩＢ）及び化合物（ＩＣ）であって、且つ一方向巻きのらせん構造を有する当該化合物（すなわち、光学活性な化合物（ＩＡ）、光学活性な化合物（ＩＢ）及び光学活性な化合物（ＩＣ））である。
【００９１】
本発明の化合物（Ｉ）の数平均重合度（１分子中に含まれるジフェニルエチレン単位の平均数）は、１０以上、好ましくは１００以上であり、特に上限はないが、１００００以下であることが取り扱いの容易さの点で望ましい。
【００９２】
また、本発明の化合物（Ｉ）は、同位元素（例えば、３Ｈ、２Ｈ（Ｄ）、１４Ｃ、３５Ｓ等）で標識されていてもよい。
【００９３】
（本発明の化合物（Ｉ）の合成）
本発明の化合物（Ｉ）の製造方法としては、特に限定されないが、例えば、以下のような反応を経て合成することができる。
【００９４】
原料化合物は、特に述べない限り、市販品として容易に入手できるか、あるいは、自体公知の方法またはこれらに準ずる方法に従って製造することができる。
【００９５】
なお、以下の反応式中の各工程で得られた化合物は、反応液のままか粗生成物として次の反応に用いることもできる。あるいは、該化合物は常法に従って反応混合物から単離することもでき、再結晶、蒸留、クロマトグラフィーなどの通常の分離手段により容易に精製することができる。
【００９６】
本発明の化合物（Ｉ）は、例えば、以下の工程により製造することができる。
【００９７】
【化５】
2014125667.tif 000007
【００９８】
［式中、Ｙ及びＹ’は、ハロゲン原子、トリフルオロメタンスルホニルオキシ基等の脱離基を示し、Ｒ７及びＲ７’は、置換されていてもよいアルキル基、置換されていてもよいアリール基、置換されていてもよいアラルキル基を示し、Ｒ８は、Ｒ７及びＲ７’と同義であり、他の記号は、前記と同義である。］
【００９９】
工程１
当該工程は、化合物１をエステル化して、化合物２を製造する工程である。
当該反応は、自体公知の方法（例えば、酸ハライドへと変換後、アルコール（Ｒ７ＯＨ）と反応させる方法、縮合剤及び塩基存在下でアルコール（Ｒ７ＯＨ）と反応させる方法等）により行われる。
【０１００】
酸ハライドへの変換に使用するハロゲン化剤としては、例えば、塩化チオニル、塩化オキサリル等が挙げられる。
溶媒としては、例えば、トルエン、キシレン等の芳香族炭化水素類；ジエチルエーテル、テトラヒドロフラン、ジオキサン等のエーテル類；クロロホルム、ジクロロメタン等のハロゲン化炭化水素類等あるいはそれらの混合物が挙げられる。
反応温度は、通常−１０℃〜３０℃、好ましくは０℃〜２０℃であり、反応時間は、通常１〜３０時間である。
【０１０１】
縮合剤としては、ジシクロヘキシルカルボジイミド（ＤＣＣ）、ジイソプロピルカルボジイミド（ＤＩＣ）、Ｎ−エチル−Ｎ’−［３−（ジメチルアミノ）プロピル］カルボジイミドおよびその塩酸塩（ＥＤＣ・ＨＣｌ）、ヘキサフルオロリン酸（ベンゾトリアゾール−1−イルオキシ）トリピロリジノホスホニウム(ＰｙＢｏｐ)、Ｏ−（ベンゾトリアゾール−１−イル）−Ｎ，Ｎ，Ｎ’，Ｎ’−テトラメチルウロニウム  テトラフルオロボレート（ＴＢＴＵ）、１−［ビス（ジメチルアミノ）メチレン］−５−クロロ−１Ｈ−ベンゾトリアゾリウム３−オキシド  ヘキサフルオロホスフェート（ＨＣＴＵ）、Ｏ−ベンゾトリアゾール−Ｎ，Ｎ，Ｎ’，Ｎ’−テトラメチルウロニウム  ヘキサフルオロボレート（ＨＢＴＵ）等が挙げられる。
縮合剤の使用量は、化合物１（１当量）に対して、１〜１０当量使用することができ、好ましくは１〜５モルである。
溶媒としては、例えば、トルエン、キシレン等の芳香族炭化水素類；ジエチルエーテル、テトラヒドロフラン、ジオキサン等のエーテル類；クロロホルム、ジクロロメタン等のハロゲン化炭化水素類等あるいはそれらの混合物が挙げられ、中でも、トルエン、テトラヒドロフラン等が好ましい。
反応温度は、通常−１０℃〜３０℃、好ましくは０℃〜２０℃であり、反応時間は、通常１〜３０時間である。
【０１０２】
工程２
当該工程は、化合物２の脱離基Ｙ（好ましくは、ヨウ素）を薗頭カップリング条件下でトリメチルシリルエチニル基に置換して、化合物３へと変換する工程である。
当該反応は、反応に影響を及ぼさない溶媒中、塩基存在下、金属触媒を用いて行われる。
【０１０３】
金属触媒としては、例えば、テトラキス（トリフェニルホスフィン）パラジウム（０）（Ｐｄ（ＰＰｈ３）４）、トリス（ジベンジリデンアセトン）ジパラジウム（０）（Ｐｄ２（ｄｂａ）３）、ジクロロビス（トリフェニルホスフィン）パラジウム（ＩＩ）（Ｐｄ（ＰＰｈ３）２Ｃｌ２）、ジクロロビス（アセトニトリル）パラジウム（ＩＩ）（（ＣＨ３ＣＮ）２ＰｄＣｌ２）等のパラジウム化合物が挙げられ、中でも、ジクロロビス（トリフェニルホスフィン）パラジウム（ＩＩ）が好ましい。
該金属触媒の使用量は、化合物２（１当量）に対して、通常０．００１〜１当量である。
【０１０４】
塩基としては、例えば、トリエチルアミン等の有機塩基やアンモニア等の無機塩基が挙げられ、中でもトリエチルアミンが好ましい。
該塩基は、溶媒として使用することもでき、該塩基の使用量は、化合物２（１当量）に対して、通常１０〜１０００当量である。
【０１０５】
当該工程においては、必要に応じてヨウ化銅や臭化銅等の銅化合物、２−ジシクロヘキシルホスフィノ−２’，４’，６’−トリイソプロピルビフェニル等のホスフィン化合物等の添加物を添加してもよい。
【０１０６】
溶媒としては、例えば、テトラヒドロフランや１，４−ジオキサン等のエーテル系溶媒、アセトニトリルやジメチルホルムアミド等の極性溶媒、又はベンゼン等の炭化水素溶媒が挙げられ、中でも、テトラヒドロフランが好ましい。
【０１０７】
反応温度は、通常−１０℃〜１００℃、好ましくは０℃〜５０℃である。
反応時間は、通常０．５〜２４時間である。
【０１０８】
工程３
当該工程は、化合物３のトリメチルシリル基を除去することにより、化合物４へと変換する工程である。
当該反応は、反応に影響を及ぼさない溶媒中、塩基又はフッ化テトラ−n−ブチルアンモニウム等のフッ化物イオン源を用いて行われる。
【０１０９】
塩基としては、例えば、炭酸カリウム、炭酸セシウム、炭酸ナトリウム等の無機塩基が挙げられ、中でも、炭酸カリウムが好ましい。
該塩基の使用量は、化合物３（１当量）に対して、通常１〜１０当量である。
【０１１０】
溶媒としては、例えば、テトラヒドロフラン（ＴＨＦ）、ジエチルエーテル、ｔｅｒｔ−ブチルメチルエーテル、ジイソプロピルエーテル、エチレングリコール−ジメチルエーテル（ＤＭＥ）、ジエチレングリコールジメチルエーテル（ジグリム（ｄｉｇｌｙｍｅ））等のエーテル系溶媒、メタノール、エタノール等のアルコール系溶媒、テトラヒドロフランとメタノール、ＤＭＥとメタノールのような混合溶媒等が挙げられ、中でもテトラヒドロフランとメタノールの混合溶媒が好ましい。
【０１１１】
反応温度は、通常−２０℃〜１００℃、好ましくは−１０℃〜４０℃である。
反応時間は、通常０．５〜２４時間である。
【０１１２】
工程４
当該工程は、化合物２’の脱離基Ｙ’（好ましくは、ヨウ素）を薗頭カップリング条件下で化合物４とカップリング反応を行い、化合物５へと変換する工程である。
【０１１３】
当該カップリング反応は、工程２と同様の反応形態及び反応条件により行うことができる。
【０１１４】
工程５
当該工程は、化合物５を重合させることにより、化合物６へと変換する工程である。
当該反応は、反応に影響を及ぼさない溶媒中、窒素雰囲気下、金属触媒を用いて行われる。
【０１１５】
金属触媒としては、塩化タングステン（ＶＩ）及びテトラフェニルすず（ＩＶ）の混合触媒が好ましい。
該金属触媒の使用量は、化合物５（１当量）に対して、通常０．０００１〜０．２当量、好ましくは、０．００１〜０．１当量である。
【０１１６】
溶媒としては、例えば、トルエン、キシレン等の芳香族炭化水素類；テトラヒドロフラン、ジオキサン等のエーテル類等あるいはそれらの混合物が挙げられ、中でも、トルエン等が好ましい。
【０１１７】
当該工程で使用される溶媒の量は、例えば、化合物５が０．００１〜１Ｍ程度の濃度となる量が好ましい。特に０．１〜０．５Ｍ程度の濃度となる量が好ましい。
【０１１８】
反応温度は、通常−１０℃〜２００℃、好ましくは１０℃〜１２０℃である。
反応時間は、通常０．５〜３０時間である。
【０１１９】
工程６
当該工程は、化合物６のエステルを加水分解して、化合物（ＩＩ）に変換する工程である。
当該反応は、反応に影響を及ぼさない溶媒中、塩基を用いて行われる。
【０１２０】
塩基としては、例えば、水酸化カリウム、水酸化ナトリウム等の無機塩基が挙げられ、中でも、水酸化カリウムが好ましい。
該塩基の使用量は、化合物６（１当量）に対して、通常１〜１００当量である。
【０１２１】
溶媒としては、例えば、テトラヒドロフラン（ＴＨＦ）、ジエチルエーテル、ｔｅｒｔ−ブチルメチルエーテル、ジイソプロピルエーテル、エチレングリコール−ジメチルエーテル（ＤＭＥ）、ジエチレングリコールジメチルエーテル（ジグリム（ｄｉｇｌｙｍｅ））等のエーテル系溶媒と水の混合溶媒等が挙げられ、中でもテトラヒドロフランと水の混合溶媒が好ましい。
【０１２２】
反応温度は、通常０℃〜１００℃、好ましくは１０℃〜８０℃である。
反応時間は、通常０．５〜３０時間である。
【０１２３】
工程７
当該工程は、光学不活性な化合物（ＩＩ）に対し、一方向巻きのらせんキラリティーを誘起する工程（工程７−１）、続く光学活性な低分子化合物の除去により一方向巻きのらせんキラリティーを記憶させる工程（工程７−２）により光学活性な化合物（Ｉ−１）（Ｘ＝Ｘ’＝ＣＯ２Ｈ）に変換する工程である。
【０１２４】
工程７−１は、反応に影響を及ぼさない溶媒中、光学活性な低分子化合物と混合することにより行われる。
【０１２５】
光学活性な低分子化合物としては、前記例示した化合物が挙げられ、中でも、（Ｒ）−（−）−２−フェニルグリシノール、（Ｓ）−（＋）−２−フェニルグリシノール、（Ｒ）−（−）−１−フェニルエチルアルコール、（Ｓ）−（＋）−１−フェニルエチルアルコール等が好適に使用される。当該光学活性な低分子化合物としては、光学的に純粋な化合物（９９％ｅｅ以上）を使用するのが好ましいが、後述するように、低い光学純度（８０％ｅｅ以上）の化合物を用いても、正の非線形現象（いわゆる、「不斉増幅現象」）が確認され、光学的に純粋な化合物を用いた場合と同程度の光学純度でらせんのキラリティーを誘起することができるので、光学純度の低い化合物を使用することもできる。当該低分子化合物は、液体でも固体でもよく、好ましくは、液体である。
光学活性な低分子化合物の使用量は、化合物（ＩＩ）（１当量）に対して、通常１〜１０当量である。
【０１２６】
溶媒としては、例えば、水、ジメチルスルホキシド（ＤＭＳＯ）、Ｎ，Ｎ−ジメチルホルムアミド（ＤＭＦ）等が挙げられ、中でも水が好ましい。
【０１２７】
反応温度は、通常０℃〜１２０℃、好ましくは室温〜１００℃、より好ましくは８０℃〜１００℃である。
反応時間は、通常０．５〜３０時間である。
【０１２８】
工程７−２は、一方向巻きのらせんキラリティーが誘起された（光学活性な）化合物（Ｉ）を含む混合液から光学活性な低分子化合物を除去することにより、一方向巻きのらせん構造が記憶された化合物（Ｉ）を得る工程である。具体的には、工程７−１の反応液に塩基を加え、有機溶媒により光学活性な低分子化合物を洗浄除去後、水相を減圧濃縮し、沈殿物を水に溶解させて、酸の添加により生じた沈殿物を水洗することにより光学活性な化合物（Ｉ−１）（Ｘ＝Ｘ’＝ＣＯ２Ｈ）を得る工程である。
【０１２９】
塩基としては、例えば、水酸化カリウム、水酸化ナトリウム等の無機塩基が挙げられ、中でも、水酸化ナトリウムが好ましい。
該塩基の使用量は、化合物（ＩＩ）（１当量）に対して、通常１〜３当量である。
【０１３０】
光学活性な低分子化合物の洗浄除去に使用する有機溶媒としては、クロロホルム、ジクロロメタン、ジエチルエーテル、酢酸エチル、トルエン、ベンゼン等が挙げられるが、中でも、クロロホルムが特に好ましい。
【０１３１】
酸としては、例えば、塩酸、リン酸、硫酸等が挙げられ、中でも、塩酸が好ましい。
【０１３２】
化合物（Ｉ）に一方向巻きのらせんキラリティーが誘起されたか否か、及び当該キラリティーが記憶されたか否かは、ＣＤ及びＵＶスペクトルを測定することにより確認することができる。
【０１３３】
化合物（Ｉ）にどの程度の光学純度で一方向巻きのらせんキラリティーが誘起されたかどうか（らせんキラリティーの片寄りの程度）は、ＣＤスペクトルのピーク強度（Δε）を測定することにより確認することができる。すなわち、ピーク強度が大きいほど、らせんの巻き方向が一方向に片寄っていることを示す。
【０１３４】
工程８
当該工程は、工程７で得られる光学活性な化合物（Ｉ−１）（Ｘ＝Ｘ’＝ＣＯ２Ｈ）のアミド化又はエステル化により化合物（Ｉ−２）（Ｘ＝Ｘ’＝ＣＯＮ（Ｒ５）（Ｒ６）又はＣＯ２Ｒ８）へと変換する工程である。
【０１３５】
当該エステル化反応は、工程１と同様の反応形態及び反応条件により行うことができる。
【０１３６】
当該アミド化反応は、自体公知の方法（例えば、縮合剤存在下でアミン（（Ｒ５）（Ｒ６）ＮＨ）と反応させる方法等）により行われる。
当該反応は、反応に影響を及ぼさない溶媒中、必要に応じて縮合添加剤存在下、縮合剤を用いて行われる。
【０１３７】
縮合添加剤としては、１−ヒドロキシベンゾトリアゾール（ＨＯＢｔ）、１−ヒドロキシ−１Ｈ−１，２，３−トリアゾール−５−カルボン酸エチルエステル（ＨＯＣｔ）、１−ヒドロキシ−７−アザベンゾトリアゾール（ＨＯＡｔ）等が挙げられる。
縮合添加剤の使用量は、光学活性な化合物（Ｉ−１）１当量に対して、好ましくは０．０５〜１．５当量である。
【０１３８】
縮合剤としては、４−（４，６−ジメトキシ−１，３，５−トリアジン−２−イル）−４−メチルモルホリニウムクロリド（ＤＭＴ−ＭＭ）、ジシクロヘキシルカルボジイミド（ＤＣＣ）、ジイソプロピルカルボジイミド（ＤＩＣ）、Ｎ−エチル−Ｎ’−［３−（ジメチルアミノ）プロピル］カルボジイミドおよびその塩酸塩（ＥＤＣ・ＨＣｌ）、ヘキサフルオロリン酸（ベンゾトリアゾール−1−イルオキシ）トリピロリジノホスホニウム(ＰｙＢｏｐ)、Ｏ−（ベンゾトリアゾール−１−イル）−Ｎ，Ｎ，Ｎ’，Ｎ’−テトラメチルウロニウム  テトラフルオロボレート（ＴＢＴＵ）、１−［ビス（ジメチルアミノ）メチレン］−５−クロロ−１Ｈ−ベンゾトリアゾリウム３−オキシド  ヘキサフルオロホスフェート（ＨＣＴＵ）、Ｏ−ベンゾトリアゾール−Ｎ，Ｎ，Ｎ’，Ｎ’−テトラメチルウロニウム  ヘキサフルオロボレート（ＨＢＴＵ）等が挙げられるが、水系溶媒中でも使用可能なＤＭＴ−ＭＭが特に好適である。
縮合剤の使用量は、光学活性な化合物（Ｉ−１）１当量に対して、１〜１０当量使用することができ、好ましくは１〜５当量である。
溶媒としては、例えば、水；ジメチルスルホキシド（ＤＭＳＯ）；トルエン、キシレン等の芳香族炭化水素類；ジエチルエーテル、テトラヒドロフラン、ジオキサン等のエーテル類；クロロホルム、ジクロロメタン等のハロゲン化炭化水素類等あるいはそれらの混合物が挙げられ、中でも、水とＤＭＳＯの混合溶媒等が好ましい。
反応温度は、通常０℃〜４０℃、好ましくは０℃〜室温であり、反応時間は、通常１〜３０時間である。
【０１３９】
工程８のアミド化又はエステル化は、らせんキラリティーを誘起する前、すなわち、工程７の前、に行うことも可能である。しかし、化合物（Ｉ）のらせんキラリティー誘起後の側鎖の官能基変換の際にラセミ化しないことが確認できたことから、分離対象化合物に適した所望のキラル固定相を効率良く製造するという意味においては、工程７の後に行うことが好ましい。
【０１４０】
光学活性な化合物（Ｉ）のらせんの巻き方向を反転させることも可能である。
【０１４１】
具体的には、前記一方向巻きのらせんキラリティーの誘起方法における光学不活性な化合物（ＩＩ）に換えて、光学活性な化合物（Ｉ−１）を用い、また、光学活性な低分子化合物に換えて、該光学活性な低分子化合物の鏡像異性体又は該光学活性な低分子化合物とは異なる種類の光学活性な低分子化合物（好ましくは、該光学活性な低分子化合物の鏡像異性体）を用いて行うことにより、逆の符号の比旋光度を示す光学活性な化合物（Ｉ−１）へと変換することができる。
【０１４２】
らせんの巻き方向の反転の際に使用する該光学活性な低分子化合物の鏡像異性体、又は該光学活性な低分子化合物とは異なる種類の光学活性な低分子化合物としては、光学的に純粋な化合物（９９％ｅｅ以上）を使用するのが好ましいが、上記と同様に、低い光学純度の化合物を用いても、正の非線形現象（いわゆる、「不斉増幅現象」）が確認され、光学的に純粋な化合物を用いた場合と同程度の光学純度でらせんの巻き方向を反転させることも可能である。従って、該光学活性な低分子化合物の鏡像異性体、又は該光学活性な低分子化合物として、光学純度の低い化合物を使用することもできる。
【０１４３】
本発明の化合物（Ｉ）のらせんの巻き方向が反転されたか否かは、ＣＤスペクトルを測定することにより確認することができる。
【０１４４】
光学活性な化合物（Ｉ）のらせんの巻き方向の反転の程度（光学純度）は、反転処理後の化合物（Ｉ）のＣＤスペクトルのピーク強度（Δε）を測定することにより確認することができる。すなわち、ピーク強度が大きいほど、らせんの巻き方向の反転の程度（逆方向巻きのらせんへのシフト率）が高いことを示す。
【０１４５】
（光学活性な化合物（Ｉ）を担持してなるキラルカラム用充填剤、及び該充填剤が充填された高速液体クロマトグラフィー用キラルカラムの製造方法）
光学活性な化合物（Ｉ）は、それ自体を光学異性体分離剤として使用することもできるが、通常、多孔質有機担体又は多孔質無機担体等の担体に担持させることが好ましい。
【０１４６】
本発明に用いられる最も好ましい担体はシリカゲルであり、シリカゲルの粒径は０．１μｍ〜３００μｍ、好ましくは１μｍ〜１０μｍであり、平均孔径は１０Å〜１００μｍ、好ましくは５０Å〜５００００Åである。
【０１４７】
光学活性な化合物（Ｉ）のシリカゲルへの担持方法としては、最も簡便には、本発明の化合物（Ｉ）をＤＭＳＯ、ＤＭＦ又はクロロホルム／トリフルオロエタノール混合溶媒に溶解し、シリカゲルにコーティングして担持させる方法が挙げられる。
【０１４８】
光学活性な化合物（Ｉ）のシリカゲルへの担持量は、熱重量分析を用いて確認することができる。
【０１４９】
光学活性な化合物（Ｉ）が担持されたシリカゲルをスラリー法（溶媒としては、ヘキサン／２−プロパノール混合溶媒又はメタノールが好ましい。）によりカラムに充填することによりキラルカラムを調製することができる。
【実施例】
【０１５０】
以下、本発明を実施例により詳細に説明するが、本発明はこれらより何ら限定されるものではない。【０１５１】
反応は、Ｍｅｒｃｋ  ６０  Ｆ２５４  シリカゲルプレート（厚さ０．２５ｍｍ）を用いて、薄層クロマトグラフィーによりモニターした。
１Ｈ及び１３Ｃ−ＮＭＲスペクトルは、ＪＥＯＬ  ＥＣＡ５００を用い、重クロロホルム、重ジメチルスルホキシド及び重水を溶媒として測定した。１Ｈ−ＮＭＲについてのデータは、化学シフト（δｐｐｍ）、多重度（ｓ＝シングレット、ｄ＝ダブレット、ｔ＝トリプレット、ｑ＝カルテット、ｑｕｉｎｔ＝クインテット、ｍ＝マルチプレット、ｄｄ＝ダブルダブレット、ｄｔ＝ダブルトリプレット、ｂｒｓ＝ブロードシングレット）、カップリング定数（Ｈｚ）、積分及び割当てとして報告する。
フラッシュクロマトグラフィーは、関東化学株式会社（日本、東京）のシリカゲル６０Ｎを用いて行った。
平均分子量はゲル浸透クロマトグラフィー（日本分光製高速液体クロマトグラフィーポンプ  ＰＵ−２０８０、日本分光製紫外可視検出器  ＵＶ−９７０、日本分光製カラムオーブン  ＣＯ−１５６０、Ｓｈｏｄｅｘ製カラム  ＫＦ−８０５Ｌ）によりポリスチレン換算で算出した。
調製した本発明の化合物（Ｉ）の分離能の測定には日本分光製高速液体クロマトグラフィーポンプＰＵ−２０８０、日本分光製紫外可視検出器  ＭＤ−９１０、日本分光製旋光検出器  ＯＲ−９９０を用いた。円二色性（ＣＤ）測定は日本分光製円二色性分散計  Ｊ−７２５、紫外可視吸収測定は日本分光製紫外可視分光光度計  Ｖ−５７０、赤外吸収測定は、日本分光製赤外分光光度計  ＦＴ／ＩＲ−４６０を用いて行った。
以下の実施例中の「室温」は通常約１０℃ないし約２５℃を示す。混合溶媒において示した比は、特に断らない限り容量比を示す。％は、特に断らない限り重量％を示す。【０１５２】
実施例１
化合物（ＩＩａ）の合成【０１５３】
（１）４−ヨード安息香酸ヘプチル（２ａ）の合成【０１５４】
【化６】
2014125667.tif 000008
【０１５５】
窒素雰囲気下、４−ヨード安息香酸（１ａ）（１０．６ｇ，４２．９ｍｍｏｌ）を脱水ジクロロメタン（１４０ｍＬ）に溶解し、脱水Ｎ，Ｎ−ジメチルホルムアミドを数滴加えた。その後、０℃で塩化オキサリル（４．５０ｍＬ，４２．４ｍｍｏｌ）を加え室温で１０時間撹拌した。溶媒除去した後、脱水ピリジン（７０ｍＬ）とｎ−ヘプタノール（７．０ｍＬ，４９．４ｍｍｏｌ）を加え、７０℃で５時間撹拌した。反応溶媒を除去した後、酢酸エチルで希釈し、蒸留水と飽和炭酸水素ナトリウム水溶液で洗浄し、有機層を無水硫酸ナトリウムで脱水した。溶媒を減圧除去し、残渣をカラムクロマトグラフィー（酢酸エチル：ヘキサン＝１：１９）で精製することにより、４−ヨード安息香酸ヘプチル（２ａ）（１４．５ｇ、収率９７％）を油状液体として得た。【０１５６】
（２）４−［（トリメチルシリル）エチニル］安息香酸ヘプチル（３ａ）の合成【０１５７】
【化７】
2014125667.tif 000009
【０１５８】
窒素雰囲気下、４−ヨード安息香酸ヘプチル（２ａ）（１０．１ｇ，２９．３ｍｍｏｌ）を脱水トリエチルアミン（５０ｍＬ）に溶解し、Ｐｄ（ＰＰｈ３）２Ｃｌ２（０．０８２０ｇ，０．１１７ｍｍｏｌ）、トリフェニルホスフィン（０．１２６ｇ，０．４８０ｍｍｏｌ）、ヨウ化銅（Ｉ）（０．１３５ｇ，０．１９２ｍｍｏｌ）、トリメチルシリルアセチレン（ＴＭＳＡ）（４．３０ｍＬ，３１．７ｍｍｏｌ）を加え、室温で２０時間撹拌した。反応溶液をセライトろ過した後、溶媒を減圧除去し、残渣をカラムクロマトグラフィー（酢酸エチル：ヘキサン＝１：３０）で精製することにより、４−［（トリメチルシリル）エチニル］安息香酸ヘプチル（３ａ）（９．２３ｇ、収率９８％）を油状液体として得た。【０１５９】
（３）４−エチニル安息香酸ヘプチル（４ａ）の合成【０１６０】
【化８】
2014125667.tif 000010
【０１６１】
４−［（トリメチルシリル）エチニル］安息香酸ヘプチル（３ａ）（１０．４ｇ，３２．８ｍｍｏｌ）をテトラヒドロフラン／メタノール（３／１，ｖ／ｖ）（４００ｍＬ）に溶解し、炭酸カリウム（１．００ｇ，７．２４ｍｍｏｌ）を加え、−１０℃で１時間撹拌した。反応溶媒を濃縮した後、酢酸エチルで希釈し、１Ｎ塩酸、飽和炭酸水素ナトリウム水溶液で洗浄し、有機層を無水硫酸ナトリウムで脱水した。溶媒を減圧除去し、残渣をカラムクロマトグラフィー（酢酸エチル：ヘキサン＝１：２５）で精製することにより、４−エチニル安息香酸ヘプチル（４ａ）（６．５８ｇ、収率８２％）を油状液体として得た。【０１６２】
（４）ビス［４−（へプチロキシカルボニル）フェニル］アセチレン（５ａ）の合成【０１６３】
【化９】
2014125667.tif 000011
【０１６４】
窒素雰囲気下、４−ヨード安息香酸ヘプチル（２ａ）（３．６４ｇ，１０．５ｍｍｏｌ）を脱水トリエチルアミン（８．６ｍＬ）に溶解し、脱水テトラヒドロフラン（４．０ｍＬ）、トリフェニルホスフィン（３９．３ｍｇ，０．１５０ｍｍｏｌ）、ヨウ化銅（Ｉ）（４３．８ｍｇ，０．２３０ｍｍｏｌ）、Ｐｄ（ＰＰｈ３）２Ｃｌ２（２７．９ｍｇ，０．０３９７ｍｍｏｌ）を加えた。その後、４−エチニル安息香酸ヘプチル（４ａ）（２．６４ｇ，１０．８ｍｍｏｌ）を脱水テトラヒドロフラン（２．０ｍＬ）に溶かした溶液をゆっくり滴下し、室温で３時間撹拌した。反応溶液をセライトろ過し、減圧除去した後、酢酸エチルで希釈し、水、飽和食塩水で洗浄し、有機層を無水硫酸ナトリウムで脱水した。溶媒を減圧除去し、残渣をカラムクロマトグラフィー（酢酸エチル：ヘキサン＝１：１０）で精製した。続いてメタノール／エタノール（５：１，ｖ／ｖ）で再結晶を行い、ビス［４−（へプチロキシカルボニル）フェニル］アセチレン（５ａ）（４．６４ｇ、収率９５％）を白色固体として得た。
ｍｐ：６１．３−６２．４℃；
ＩＲ（ＫＢｒ，ｃｍ−１）：１９４３（Ｃ≡Ｃ），１７０７（Ｃ＝Ｏ）；
１Ｈ  ＮＭＲ（５００ＭＨｚ，ＣＤＣｌ３，ｒｔ）：δ８．０４（ｄ，Ｊ＝８．６Ｈｚ，４Ｈ，Ａｒ−Ｈ），７．６０（ｄ，Ｊ＝８．０Ｈｚ，４Ｈ，Ａｒ−Ｈ），４．３３（ｔ，Ｊ＝６．６Ｈｚ，４Ｈ，２ＯＣＨ２ＣＨ２），１．７６（ｑｕｉｎｔ，Ｊ＝６．６Ｈｚ，４Ｈ，２ＯＣＨ２ＣＨ２），１．２５−１．４７（ｍ，１６Ｈ，８ＣＨ２），０．９０（ｔ，Ｊ＝６．９Ｈｚ，６Ｈ，２ＣＨ３）；
１３Ｃ  ＮＭＲ（１２５ＭＨｚ，ＣＤＣｌ３，ｒｔ）：δ１６６．１９，１３１．７６，１３０．４６，１２９．６８，１２７．３８，９１．４９，６５．５６，３１．８８，２９．１１，２８．８５，２６．１５，２２．７５，１４．２３；
元素分析：Ｃａｌｃｄ  ｆｏｒ  Ｃ３０Ｈ３８Ｏ４：Ｃ，７７．８９；Ｈ，８．２８．Ｆｏｕｎｄ：Ｃ，７７．６０；Ｈ，８．３７．【０１６５】
（５）化合物（５ａ）の重合による化合物（６ａ）の合成【０１６６】
【化１０】
2014125667.tif 000012
【０１６７】
窒素雰囲気下、シュレンク管にビス［４−（へプチロキシカルボニル）フェニル）］アセチレン（５ａ）（６００ｍｇ，１．３０ｍｍｏｌ）、塩化タングステン（ＶＩ）（５１．６ｍｇ，０．１３０ｍｍｏｌ）、テトラフェニルすず（ＩＶ）（５５．５ｍｇ，０．１３０ｍｍｏｌ）を入れ、真空蒸留した脱水トルエン（２．６ｍＬ）を加えた。その後、１１０℃で２４時間撹拌した。室温まで冷却後、大量のメタノールに再沈殿させ、遠心分離により黄土色固体を得た。続いて、少量のトルエンに溶解させ、大量のテトラヒドロフラン／メタノール（３：１，ｖ／ｖ）混合溶媒に再沈殿させ、遠心分離によりポリ（ジフェニルアセチレン）へプチルエステル（化合物（６ａ））（４０４ｍｇ、収率６７％）を黄土色固体として回収した。ゲル浸透クロマトグラフィー測定により求めた化合物（６ａ）のポリスチレン換算の数平均分子量Ｍｎは１．４６×１０４であり分散度Ｍｗ／Ｍｎは１．５８であった。
ＩＲ（ＫＢｒ，ｃｍ−１）：１７２１（Ｃ＝Ｏ）；
１Ｈ  ＮＭＲ（５００ＭＨｚ，ＣＤＣｌ３，５０℃）：δ７．１６−７．２８（ｂｒ，４Ｈ，Ａｒ−Ｈ），６．４１−６．７１（ｂｒ，２Ｈ，Ａｒ−Ｈ），５．９２−６．１５（ｂｒ，２Ｈ，Ａｒ−Ｈ），４．０３−４．４８（ｂｒ，４Ｈ，２ＯＣＨ２ＣＨ２），１．６０−１．９３（ｂｒ，４Ｈ，２ＯＣＨ２ＣＨ２），１．２５−１．４７（ｂｒ，１６Ｈ，８ＣＨ２），０．７９−１．０４（ｂｒ，６Ｈ，２ＣＨ３）；
元素分析：Ｃａｌｃｄ  ｆｏｒ  Ｃ３０Ｈ３８Ｏ４：Ｃ，７７．８９；Ｈ，８．２８．Ｆｏｕｎｄ：Ｃ，７７．４０；Ｈ，８．４２．【０１６８】
（６）化合物（６ａ）の加水分解による化合物（ＩＩａ）の合成【０１６９】
【化１１】
2014125667.tif 000013
【０１７０】
化合物（６ａ）（４００ｍｇ）をテトラヒドロフラン（１５ｍＬ）に溶解し、４Ｎ水酸化カリウム水溶液（３５ｍＬ）を加え、８０℃で２時間撹拌した。その後、テトラヒドロフランを留去し、４Ｎ水酸化カリウム水溶液（３０ｍＬ）を加え、８０℃で２４時間撹拌した。反応溶液に蒸留水を加えた後、ジエチルエーテル、クロロホルムで洗浄した。水層に１Ｎ塩酸を加えて酸性にし、析出した固体を遠心分離により回収し、その後、蒸留水で洗浄することによりポリ（ジフェニルアセチレン）カルボン酸（光学不活性体）（化合物（ＩＩａ））（１８０ｍｇ、収率７８％）を褐色固体として得た。
ＩＲ（ＫＢｒ，ｃｍ−１）：１７０１（Ｃ＝Ｏ）；
１Ｈ  ＮＭＲ（５００ＭＨｚ，ｄ６−ＤＭＳＯ／Ｄ２Ｏ（１：１，ｖ／ｖ），８０℃）：δ７．１９−６．８８（ｂｒ，４Ｈ，Ａｒ−Ｈ），６．５３−６．３１（ｂｒ，２Ｈ，Ａｒ−Ｈ），６．１２−５．８２（ｂｒ，２Ｈ，Ａｒ−Ｈ）；
元素分析：Ｃａｌｃｄ  ｆｏｒ  （Ｃ１６Ｈ１０Ｏ４・２．１Ｈ２Ｏ）ｎ：Ｃ，６３．２０；Ｈ，４．７１．Ｆｏｕｎｄ：Ｃ，６３．０４；Ｈ，４．５５．【０１７１】
実施例２
光学不活性な化合物（ＩＩａ）への一方向巻きのらせんキラリティーの誘起と記憶【０１７２】
【化１２】
2014125667.tif 000014
【０１７３】
（１）化合物（ＩＩａ）へのらせんキラリティーの誘起
化合物（ＩＩａ）（２００ｍｇ，０．７５１ｍｍｏｌ）を水（７５ｍＬ）に溶解し、光学的に純粋な（Ｓ）−（＋）−２−フェニルグリシノール（８２３ｍｇ，６．００ｍｍｏｌ）を加え、９５℃で２時間撹拌後、２５℃で２４時間静置し、当該溶液のＣＤスペクトルを測定した（セル長：０．１ｃｍ、測定温度：２５℃）（図１の（ａ））。その結果、主鎖の吸収領域に明確なコットン効果が観測され、これにより化合物（ＩＩａ）に一方向巻きのらせん構造が誘起され、光学活性な化合物（Ｉａ）が生成したことが示唆された。【０１７４】
（２）化合物（Ｉａ）のらせんキラリティーの記憶
前記処理により一方向巻きのらせん構造が誘起された光学活性な化合物（Ｉａ）の水溶液に、水酸化ナトリウム（３３ｍｇ，０．８３ｍｍｏｌ）を加え、クロロホルムで洗浄した後、水層を減圧濃縮した。その後、大量のアセトンに再沈殿し、遠心分離により化合物（Ｉａ）のナトリウム塩を回収した。化合物（Ｉａ）のナトリウム塩を少量の水に溶解し、１Ｎ塩酸を加えて酸性にして析出した固体を遠心分離により回収し、蒸留水で洗浄することにより化合物（Ｉａ）（１８４ｍｇ、収率９２％）を褐色固体として得た。得られた化合物（Ｉａ）をジメチルスルホキシドに溶解させ、ＣＤを測定したところ、化合物（Ｉａ）と（Ｓ）−（＋）−２−フェニルグリシノールとの混合溶液時と同様の誘起ＣＤが観測された（図１の（ｂ））。これにより、化合物（Ｉａ）が有する一方向巻きのらせん構造は、光学的に純粋な（Ｓ）−（＋）−２−フェニルグリシノールの除去後も記憶として化合物（Ｉａ）に保持されることが確認された。【０１７５】
実施例３
一方向巻きのらせん構造を有する光学活性な化合物（Ｉａ）の側鎖カルボキシ基のアミド化反応による光学活性な化合物（Ｉｂ）の合成【０１７６】
【化１３】
2014125667.tif 000015
【０１７７】
光学活性な化合物（Ｉａ）（１７０ｍｇ，０．６３８ｍｍｏｌ）をジメチルスルホキシド／水（５：１，ｖ／ｖ）（３０ｍＬ）に溶解し、アニリン（２３８ｍｇ，２．５５ｍｍｏｌ）、４−（４，６−ジメトキシ−１，３，５−トリアジン−２−イル）−４−メチルモルホリニウムクロリド（ＤＭＴ−ＭＭ）（７０６ｍｇ，２．５５ｍｍｏｌ）を加え、室温で５時間撹拌した。析出した固体を遠心分離により回収した後、少量のテトラヒドロフランに溶解し大量の水／メタノール（５：１，ｖ／ｖ）混合溶媒に再沈殿し、遠心分離により回収し、メタノールで洗浄することにより化合物（Ｉｂ）（１８６ｍｇ、収率７０％）を暗赤色固体として得た。得られた化合物（Ｉｂ）をジメチルスルホキシドに溶解させ、ＣＤを測定したところ、一方向巻きのらせん構造を有する化合物（Ｉａ）と同様の誘起ＣＤが観測された（図１の（ｃ））。これにより、化合物（Ｉａ）に誘起・記憶された一方向巻きのらせん構造は、化学修飾（アミド化）後も記憶として化合物（Ｉｂ）に保持されることが確認できた。【０１７８】
実施例４
カラムの調製と不斉識別能評価【０１７９】
（１）光学活性な化合物（Ｉｂ）を担持させた光学分割用キラルカラムの調製
光学活性な化合物（Ｉｂ）（１２０ｍｇ）をクロロホルム／トリフルオロエタノール（５：１，ｖ／ｖ）（４．８ｍＬ）に溶解し、ＨＰＬＣ用のシリカゲル（ダイソー製：粒径７μｍ）に担持した。得られたポリマー担持ゲルをスラリー法（溶媒：ヘキサン／２−プロパノール（９：１，ｖ／ｖ））により長さ２５ｃｍ、内径０．２０ｃｍのステンレスカラムに充填した。【０１８０】
（２）キラルカラムを用いた３，３’−ジフェニル−１，１’−ビ−２−ナフトールの光学分割
上記（１）の操作で調製されたキラルカラムを用いて、３，３’−ジフェニル−１，１’−ビ−２−ナフトールの光学分割をＨＰＬＣにより行った（室温：約２０℃）（図２）。溶離液にはヘキサン／２−プロパノール＝９０／１０（ｖ／ｖ）を用いて、流速は０．１ｍＬ／分とした。また、溶離液がカラムを素通りする時間ｔ０は１，３，５−トリ−ｔｅｒｔ−ブチルベンゼンの溶出時間から求めた。その結果、ｋ１＝１．５７、α＝１．５１と見積もられた（表１）。【０１８１】
（３）ＨＰＬＣによるキラルカラムの不斉識別能の確認
上記（１）の操作で調製されたキラルカラムを用いて、様々な化合物のラセミ体の光学分割をＨＰＬＣ（流速は、０．１ｍＬ／分（ヘキサン／２−プロパノール＝９０／１０、５０／５０）または０．２ｍＬ／分（ヘキサン／２−プロパノール＝９９／１）により行った。その分離条件と結果を表１に示した。【０１８２】
【表１】
2014125667.tif 000016
【０１８３】
ここで保持係数ｋ１とは、最初に溶出するエナンチオマーが充填剤とどの程度強く相互作用しているかどうかを表す指標であり、具体的には、式：ｋ１＝（ｔ１−ｔ０）／ｔ０（式中、ｔ１：最初に溶出するエナンチオマーの溶出時間、ｔ０：充填剤と全く相互作用しない物質（１，３，５−トリ−ｔｅｒｔ−ブチルベンゼン）が溶出してくる時間）で表される式により算出される。また、分離係数αとは、両エナンチオマーの保持係数の比を意味し、具体的には、式：α＝ｋ２／ｋ１（式中、ｋ１：先に溶出するエナンチオマーの保持係数、ｋ２：後から溶出するエナンチオマーの保持係数）で表される式により算出される。一般には、αが１の場合、溶出時間が全く同じで分離されないことを意味し、α＞１であれば、両エナンチオマーが分離可能であることを示し、一般にαが１．２以上であれば、ピークの裾まで完全に分離可能であることを示す。【０１８４】
表１によれば、光学活性な化合物（Ｉｂ）を担持させたキラルカラムは、エーテル、ケトン、アミン、フェノール、アルコール、金属錯体等の広範なキラル化合物のラセミ体を極めて効率良く分離できることが確認された。【０１８５】
実施例５
低い光学純度の低分子化合物を用いる一方向巻きのらせんキラリティーの誘起（非線形効果の確認）【０１８６】
（１）光学不活性な化合物（ＩＩａ）（２ｍｇ／ｍＬ，５ｍＬ）の水溶液に（Ｓ）−（−）−１−フェニルエチルアミンの２０％ｅｅ、４０％ｅｅ、６０％ｅｅ、８０％ｅｅ又は１００％ｅｅ水溶液を加え、１．９ｍＭの化合物（ＩＩａ）の水溶液を調整した（［１−フェニルエチルアミン］／［化合物（ＩＩａ）］＝５０）。９５℃で２時間撹拌後、２５℃で２４時間静置した後、生成した光学活性な化合物（Ｉａ）のＣＤおよびＵＶスペクトルを２５℃下で測定した。【０１８７】
その結果、図３に示されるように、化合物（ＩＩａ）へのらせんキラリティーの誘起（光学活性な化合物（Ｉａ）への変換）の際に、光学純度が８０％ｅｅ以上の（Ｓ）−（−）−１−フェニルエチルアミンを使用することにより、光学的に純粋な（Ｓ）−（−）−１−フェニルエチルアミンを使用した場合と同程度のＣＤスペクトルにおけるピーク強度（Δε）が観測された。このことから、化合物（ＩＩａ）へのらせんキラリティーの誘起において、正の非線形現象（いわゆる、「不斉増幅現象」）を確認することができた。
【産業上の利用可能性】
【０１８８】
本発明によれば、一方向巻きのらせん構造を有するポリ（ジフェニルアセチレン）化合物を簡便に合成することができ、また、そのらせんの巻き方向についても、らせんのキラリティーの誘起の際に使用する光学活性な低分子化合物の絶対配置の選択により自由に制御することができる。また、本発明の光学活性な化合物（Ｉ）は、らせんのキラリティーを誘起、記憶後に様々な化学修飾を行うことが可能であるので、分離対象物の種類に応じて容易に化学構造の最適化を行えるという利点を有する。また、本発明によれば、らせんキラリティーの誘起の際に使用する光学活性な低分子化合物を容易に回収、再利用可能であり、広範なキラル化合物の光学分割に適用することができ、かつ分離能も高いため、安価かつ効果的な光学異性体の分離方法を提供することができる。さらに、本発明によれば、らせんキラリティーの誘起の際に、添加する光学活性な低分子化合物の光学純度とらせんキラリティー誘起の強度との間に正の非線形効果が観測されたことから、実用性に優れたキラル固定相の製造方法となり得る。【０１８９】
以上、本発明の具体的な態様のいくつかを詳細に説明したが、当業者であれば示された特定の態様には、本発明の教示と利点から実質的に逸脱しない範囲で様々な修正と変更をなすことは可能である。従って、そのような修正および変更も、すべて請求の範囲で請求される本発明の精神と範囲内に含まれるものである。【０１９０】
本出願は、特願２０１３−０２４４２３を基礎としており、その内容は本明細書に全て包含されるものである。
【図１】
2014125667.tif 000020
【図２】
2014125667.tif 000021
【図３】
2014125667.tif 000022
【国際調査報告】
2014125667.tif 000023
2014125667.tif 000024
2014125667.tif 000025
2014125667.tif 000026